(57)【要約】【課題】集塵性能と安全性を高めることができる電気集塵ユニットを提供することを目的とする。【解決手段】下流方向に複数の尖先部２と複数の連結部１５を設けた針状電極１と、この針状電極１と平行に設けた平行電極組１８と、格子状の前面パネル３を有し、前記針状電極１は、スリット１０を持った電極固定具５に装着され、電極固定具５には、スリット１０に向かって立ち上がる電極支えリブ１２をスリット１０の長手方向に対して交互に設ける。針状電極１は電極支えリブ１２に挟まれるようにして少ない接触面積で固定されることにより、尖先部２からの放電時に障害となりうるものを排除でき、放電範囲の拡大を可能とし、集塵性能の向上を可能とした。【選択図】図１
2007050367.tif 000002
【特許請求の範囲】
【請求項１】
下流方向に複数の尖先部と複数の連結部を設けた針状電極と、この針状電極と平行に設けた平行電極と、格子状の前面パネルを有した電気集塵ユニットにおいて、前記針状電極は前記前面パネルの長手方向の桟に設けた電極固定溝に装着され、前記固定溝は尖先部の溝の深さを連結部の溝の深さより浅くして尖先部を開放したことを特徴とする電気集塵ユニット。
【請求項２】
下流方向に複数の尖先部と複数の連結部を設けた針状電極と、この針状電極と平行に設けた平行電極と、格子状の前面パネルを有した電気集塵ユニットにおいて、前記針状電極は前記前面パネルの短手方向の桟に設けた電極固定溝に装着されたことを特徴とする電気集塵ユニット。
【請求項３】
前面パネルの格子に短手方向の桟に下流方向にへこんだ凹部を設け、前記凹部に針状電極を装着することを特徴とする請求項２記載の電気集塵ユニット。
【請求項４】
前記針状電極を固定する固定枠を有した請求項２または３記載の電気集塵ユニット。
【請求項５】
前記固定枠は、前記針状電極を装着するための１ｍｍ以上の幅を持ったスリットを有し、前記スリットには針状電極を固定するためのリブをスリットの長手方向に対して交互に設けたことを特徴とする請求項４記載の電気集塵ユニット。
【請求項６】
前記固定枠の上流側に装着し、前記固定枠を前面パネルに固定する電極蓋を設けた請求項４または５記載の電気集塵ユニット。
【請求項７】
前記固定枠の上流側に装着し、かつ、前記針状電極の上流側の風路を閉じるように前記固定枠を前面パネルに固定する電極蓋を設けた請求項６記載の電気集塵ユニット。
【請求項８】
下流方向に複数の尖先部と複数の連結部を設けた針状電極と、この針状電極と平行に設けた平行電極と、格子状の前面パネルと、針状電極を固定する固定枠を有した電気集塵ユニットにおいて、前面パネルの一部に開口部を設け、前記開口部に針状電極を固定した針状電極固定枠を装着することを特徴とする電気集塵ユニット。
【請求項９】
下流方向に複数の尖先部と複数の連結部を設けた針状電極と、この針状電極と平行に設けた平行電極と、格子状の前面パネルを有した電気集塵ユニットにおいて、前面パネルの短手方向の桟を長手方向の桟よりも下流側に設けたことを特徴とする電気集塵ユニット。
【発明の詳細な説明】
【技術分野】
【０００１】
本発明は、空気調和機の空気流路に設け、空気調和される空気中に含まれる粉塵等を除去する電気集塵ユニットに関する。
【背景技術】
【０００２】
従来、この種の電気集塵ユニットには針状の放電電極を設けたものが知られている（例えば、特許文献１参照）。
【０００３】
以下、その電気集塵ユニットについて図７を参照しながら説明する。
【０００４】
図に示すように、吸込口１０１および吹出口１０２を形成したフィルター枠１０３の吸込口１０１側に針状の放電電極１０４を設け、放電電極１０４と対向しフィルター枠１０３の吹出口１０２内にラスまたはパンチングメタル等の通気可能なアース電極１０５を設け、アース電極１０５の風下側にフィルター１０６を設け、フィルター装置１０７を形成していた。
【特許文献１】特開２００３−１０７３１号公報（〔００１４〕、図１）
【発明の開示】
【発明が解決しようとする課題】
【０００５】
このような従来の電気集塵ユニットでは、針状の放電電極の先端は、アース電極１０５に略平行な方向に向いており、放電領域が限定されるため、集塵性能が未だ不十分であり、集塵性能を高めることが要求されている。
【０００６】
また、空気調和機に設置時に電気集塵ユニットの長手方向に設置した桟が風路の抵抗となり、空気調和される空気中に含まれる粉塵等を放電部へ確実に通過させ帯電させられていないため、通風抵抗を減少させることが求められている。
【０００７】
また、針状の放電電極を固定する従来の構造では固定時に生じた隙間が大きく、高圧部からアース部までの沿面距離が少ないという課題があり、安全性の向上が要求されている。
【０００８】
本発明は、上記課題を解決するものであり、風路抵抗を減少させ、集塵性能を高めることができ、安全性の向上を実現できる電気集塵ユニットを提供することを目的としている。
【課題を解決するための手段】
【０００９】
本発明の電気集塵ユニットは上記目的を達成するために、下流方向に複数の尖先部と複数の連結部を設けた針状電極と、この針状電極と平行に設けた平行電極と、格子状の前面パネルを有し、前記針状電極は前記前面パネルの長手方向の桟に設けた電極固定溝に装着され、前記固定溝は尖先部の溝の深さを連結部の溝の深さをより浅くして解放したものである。
【００１０】
この手段により、針状電極の尖先部が開放されることによって放電しやすくなり集塵性能の向上を図ることができる電気集塵ユニットが得られる。
【００１１】
また、他の手段は、本発明の電気集塵ユニットは上記目的を達成するために、下流方向に複数の尖先部と複数の連結部を設けた針状電極と、この針状電極と平行に設けた平行電極と、格子状の前面パネルを有し、針状電極を前面パネルの短手方向の桟に設けた電極固定溝に装着されたものである。
【００１２】
この手段により、針状電極の尖先部が開放されることによって放電しやすくなり集塵性能の向上を図ることができる電気集塵ユニットを得られる。
【００１３】
また他の手段は、前面パネルの格子に短手方向の桟に下流方向へへこんだ凹部を設け、前記凹部に針状電極を装着したものである。
【００１４】
この手段により、針状電極の取り付け位置を固定でき、放電電流の安定化を図れるため集塵性能の向上のバラツキを図ることができる電気集塵ユニットを得られる。
【００１５】
また他の手段は、針状電極を固定する固定枠を有したものである。
【００１６】
この手段により、針状電極の取り付け位置を固定でき、放電電流の安定化を図れるため集塵性能の向上のバラツキを図ることができる電気集塵ユニットを得られる。
【００１７】
また他の手段は、固定枠は、針状電極を装着するための１ｍｍ以上の幅を持ったスリットを有し、そのスリットには針状電極を固定するためのリブをスリットの長手方向に対して交互に設けたものである。
【００１８】
この手段により、針状電極は少ない接触面積で固定することができ、針状電極の尖先部が開放されることによって放電しやすくなり集塵性能の向上を図ることができる電気集塵ユニットを得られる。
【００１９】
また他の手段は、固定枠の上流側に装着し、前記固定枠を前面パネルに固定する電極蓋を設けたものである。
【００２０】
この手段により、針状電極の取り付け位置を固定でき、放電電流の安定化を図れるため集塵性能の向上のバラツキを図ることができる電気集塵ユニットを得られる。
【００２１】
また他の手段は、固定枠の上流側に装着し、かつ、針状電極の上流側の風路を閉じるように前記固定枠を前面パネルに固定する電極蓋を設けたものである。
【００２２】
この手段により、針状電極への埃の付着を抑制でき、安全性の向上を図ることができる電気集塵ユニットを得られる。
【００２３】
また他の手段は、下流方向に複数の尖先部と複数の連結部を設けた針状電極と、この針状電極と平行に設けた平行電極と、格子状の前面パネルを有し、前記前面パネルの一部に開口部を設け、前記開口部に針状電極を固定した針状電極固定枠を装着したものである。
【００２４】
この手段により、集塵性能の向上を図ることができる電気集塵ユニットを得られる。
【００２５】
また他の手段は、本発明の電気集塵ユニットは上記目的を達成するために、下流方向に複数の尖先部と複数の連結部を設けた針状電極と、この針状電極と平行に設けた平行電極と、格子状の前面パネルを有し、前面パネルの短手方向の桟を長手方向の桟よりも下流側に設けたものである。
【００２６】
この手段により、通風抵抗を減少させられ、集塵性能の向上を図れる電気集塵ユニットを得られる。
【発明の効果】
【００２７】
本発明によれば、集塵性能の向上を図ることができるという効果のある電気集塵ユニットを提供できる。
【００２８】
また、通風抵抗を抑制でき、高捕集率を確保できるという効果のある電気集塵ユニットを提供できる。
【００２９】
また、安全性の向上を図ることのできるという効果のある電気集塵ユニットを提供できる。
【発明を実施するための最良の形態】
【００３０】
本発明の請求項１記載の発明は、下流方向に複数の尖先部と複数の連結部を設けた針状電極と、この針状電極と平行に設けた平行電極と、格子状の前面パネルを有し、前面パネルの長手方向の桟の下流側（裏側）には針状電極を固定する固定溝（装着部）を有し、前記針状電極の尖先部を固定する溝の深さを連結部の溝の深さより浅くして尖先部を解放したことで、尖先部からの放電時に障害となりうるものを排除でき、放電範囲の拡大を可能としたことにより、集塵性能の向上を可能にするという作用を有する。
【００３１】
また、請求項２記載の発明は、針状電極を前面パネルの短手方向の桟に設けた電極固定溝に装着するが、針状電極の尖先部に近くなる短手方向の桟を必要最低限数に減らすことで、尖先部からの放電時の障害を減少可能とし、放電範囲の拡大を可能としたことにより、集塵性能の向上を可能にするという作用を有する。
【００３２】
また、請求項３記載の発明は、前面パネルの格子に短手方向の桟に下流方向にへこんだ凹部を設け、前記凹部に針状電極を装着したものであり、針状電極の取り付け位置を固定でき、放電電流の安定化を図れるため集塵性能の向上のバラツキを図ることができる。
【００３３】
また、請求項４記載の発明は、針状電極を固定する固定枠を有したものであり、針状電極の取り付け位置を固定でき、放電電流の安定化を図れるため集塵性能の向上のバラツキを図ることができる。
【００３４】
また、請求項５記載の発明は、針状電極を固定する固定枠は、針状電極を装着するための１ｍｍ以上の幅を持ったスリットを有し、このスリットには針状電極を固定するためのリブをスリットの長手方向に対して交互に設けたものであり、針状電極を少ない接触面積で固定することができるため、針状電極の尖先部が開放されることによって放電しやすくなり集塵性能の向上を図ることができる。
【００３５】
また、請求項６記載の発明は、固定枠の上流側に装着し、前記固定枠を前面パネルに固定する電極蓋を設けたものであり、針状電極の取り付け位置を固定でき、放電電流の安定化を図れるため集塵性能の向上のバラツキを図ることができる。
【００３６】
また、請求項７記載の発明は、固定枠の上流側に装着し、かつ、前記針状電極の上流側の風路を閉じるように前記固定枠を前面パネルに固定する電極蓋を設けたものであり、針状電極への埃の付着を抑制でき、安全性の向上を図ることができる。
【００３７】
また、請求項８記載の発明は、下流方向に複数の尖先部と複数の連結部を設けた針状電極と、この針状電極と平行に設けた平行電極と、格子状の前面パネルと、針状電極を固定する固定枠を有した電気集塵ユニットにおいて、前面パネルの一部に開口部を設け、前記開口部に針状電極を固定した針状電極固定枠を装着したものであり、集塵性能の向上を図ることができる。
【００３８】
また、請求項９記載の発明は、風路と垂直となり、風路の抵抗となりうる前面パネルの長手方向の桟を短手方向の桟より下流側に設けることで、風路の確保を実現でき、空気調和される空気中に含まれる粉塵等を放電部へ確実に通過させ帯電させられることで、集塵性能の向上を可能にするという作用を有する。
【００３９】
以下、本発明の実施の形態について図面を参照しながら説明する。
【００４０】
（実施の形態１）
図１〜５に示すように、空気調和機（図示せず）などの空気流路に設けられる電気集塵ユニットは、格子状に成形した前面パネル３と、高電圧を印可させることで放電機能を有する複数の針状電極１と、針状電極１を装着した前面パネル３を着脱自在に設けられる保持ユニットで構成される。前記保持ユニット６は、空気調和機に固定できるよう固定用の爪３１が設けてある。
【００４１】
一方、図２のように針状電極１は、スリット１０を持った電極固定具５に装着される。電極固定具５には、スリット１０に向かって立ち上がる電極支えリブ１２をスリット１０の長手方向に対して交互に設け、針状電極１は電極支えリブ１２に挟まれるようにして固定される。
【００４２】
スリット１０の幅は、針状電極１の開放空間を確保するため、針状電極１の肉厚より大きくなるようにし、スリット幅と針状電極１が接触しないように１ｍｍ以上設けることが望ましい。
【００４３】
前面パネル３には、針状電極１を装着するための装着部１４が設けられている。この装着部１４は、前面パネル３の長手方向の桟４ａと桟４ｂの間に設けられ、この桟４ａと桟４ｂを接続する連結リブ４が空気の流れる下流方向に向かってへこんだ形状を有し、この装着部１４に針状電極１の尖先部２が下流方向に向かうよう、前記電極固定具５を装着する。
【００４４】
電極蓋７は、電極固定具５に設けられた三角リブ９に対応する位置に固定孔８設け、その際、針状電極１の尖先部２は、電極固定具５のスリット１０から下流方向に露出するように装着する。また、針状電極１の三角リブ９にあたる部分は針状電極１の連結部１５とする。
【００４５】
また、電極固定具５のスリット１０に針状電極１を取り付けた後、上下左右方向を確実に固定するため電極蓋７の固定用穴部８と電極固定具５の三角リブ９を係合させることで固定し、電極組１６を構成する。電極組１６は、前面パネル３の装着部１４に嵌合装着され、固定される。電極蓋７は短手方向に伸びる凸部１３を設け、前面パネル３には、嵌合する際に凸部１３に対応して合致する凹部１１を設ける。
【００４６】
また、保持ユニット６には、平行電極組１８と集塵フィルター２０を設ける。
【００４７】
上記構成において、空気調和機（図示せず）等の空気流路に高電圧印可装置（図示せず）を介して取り付けた電気集塵ユニットに電気が流れると、吸込口となる前面パネル３に設けた針状電極１と平行電極組１８間に印可されている高電圧（針状電極１側がマイナス）により、針状電極１の付近に大きな電界が形成されるが、尖先部２は、連結リブ４から離れた位置にあり、さらに針状電極１の尖先部２を露出させる箇所である電極固定具５の底面は全体をスリット１０としたことにより、針状電極１の尖先部２の解放面積を確保でき、かつ、電極周辺を通過する埃等が帯電しやすくなる。それにより空気分子中の電子が分離したり、また、分離した電子が別の空気分子に結合するなどして空気分子がイオン化されやすくなり、空気イオンとなり、空気イオンが電界の力によって拡散し、埃に付着して、埃を帯電させ、帯電した埃粒子は粒子同士の緩衝を防ぎ、平行電極組１８の上流側に収納した集塵フィルター２０により埃がより多く捕集され、集塵性能が向上する。
【００４８】
また、前面パネル３に凹部１１と、その凹部１１に合致してはまる電極蓋７の凸部１３を設けることで、電極蓋７近傍に生じてしまう隙間を抑制できることとなる。このため、針状電極１に埃等の異物が付着し難く、性能劣化を防ぐことができる。
【００４９】
（実施の形態２）
本発明の第２の実施の形態について、図６を参照しながら説明する。実施の形態１と同じ構成のものには同じ番号を付し、詳細な説明は省略する。
【００５０】
図６に示すように、前面パネル３に短手方向の桟２１よりも下流方向となる位置にして長手方向の桟２２を設ける。
【００５１】
上記構成により、空気調和機に取り付け時に角度を有する時もあり、風の流れとは垂直に配置できない場合でも、前面パネル３に向かう風が常に針状電極１の尖先部２と平行電極組１８間で生じた電界内を通過しやすくなり、集塵性能の向上を図ることができる。
【産業上の利用可能性】
【００５２】
針状電極の尖先部から平行電極へ放電しやすい構造を採用することで、高捕集率及び低通風抵抗とできることを生かし、空気清浄機やマイナスイオン発生器等の用途にも適用できる。
【図面の簡単な説明】
【００５３】
【図１】本発明の実施の形態１の電気集塵ユニットの構成を示す断面図
【図２】同実施の形態１の電極固定具を示す図（ａ）電極固定具を示す斜視図（ｂ）電極固定具に針状電極を装着した斜視図（ｃ）電極固定具に針状電極を固定した断面図
【図３】同実施の形態１の針状電極を示す図（ａ）針状電極の全体を示す斜視図（ｂ）針状電極に電極固定具と電極蓋を装着した電極組の斜視図
【図４】同実施の形態１の電極組の装着部を示す断面図
【図５】同実施の形態１の前面パネル裏側の斜視図
【図６】本発明の実施の形態２の電気集塵ユニットの構成を示す断面図
【図７】従来の電気集塵ユニットを示す断面図
【符号の説明】
【００５４】
１    針状電極
２    尖先部
３    前面パネル
４    連結リブ
５    電極固定具
６    保持ユニット
７    電極蓋
８    固定用穴部
９    三角リブ
１０  スリット
１１  凹部
１２  電極支えリブ
１３  凸部
１５  連結部
１６  電極組
１８  平行電極組
２０  集塵フィルター
２１  短手方向の桟
２２  長手方向の桟
【図１】
2007050367.tif 000003
【図２】
2007050367.tif 000004
【図３】
2007050367.tif 000005
【図４】
2007050367.tif 000006
【図５】
2007050367.tif 000007
【図６】
2007050367.tif 000008
【図７】
2007050367.tif 000009